(57)【要約】【課題】間座を使用せずに、自動調心ころ軸受の代わりに使用することのできる安価な調心輪付き複列円すいころ軸受を提供する。【解決手段】調心輪付き複列円すいころ軸受は、複列円すいころ軸受１０の外輪１１の外周面１１ｂ　を球状凸面とすると共に、外輪１１の外側に配置した調心輪５０の内周面５０ａ　を前記球状凸面に対応した球状凹面とし、これら外輪１１の外周面１１ｂ　と調心輪５０の内周面５０ａ　とが、調心輪５０と外輪１１との相対揺動変位を自在として嵌合される。調心輪５０の軸方向幅Ｂ３が、複列円すいころ軸受１０の一対の内輪１２，１２　の組合せ幅Ｂ１と等しく、且つ外輪１１の軸方向幅Ｂ２より広くされる。【選択図】　　　図１
2004028139.tif 000002
【特許請求の範囲】
【請求項１】
複列円すいころ軸受の外輪の外周面を球状凸面とすると共に、該外輪の外側に配置した調心輪の内周面を前記球状凸面に対応した球状凹面とし、これら外輪の外周面と調心輪の内周面とが、調心輪と外輪との相対揺動変位を自在として嵌合された調心輪付き複列円すいころ軸受であって、
前記調心輪の軸方向幅が、前記複列円すいころ軸受の内輪の組合せ幅と等しく、且つ前記外輪の軸方向幅より広くされていることを特徴とする調心輪付き複列円すいころ軸受。
【発明の詳細な説明】
【０００１】
【発明の属する技術分野】
本発明は調心輪付き複列円すいころ軸受に関し、圧延機用ロールの中心軸等、大きなラジアル荷重の他にスラスト荷重が加わり、変形（曲がり）が比較的大きい回転軸を支持するために利用される調心輪付き複列円すいころ軸受の改良に関する。
【０００２】
【従来の技術】
圧延機用ロールの中心軸等、大きなラジアル荷重の他にスラスト荷重が加わり、しかも軸の長さ寸法が大きく、荷重による軸の曲げ変形が比較的大きい回転軸を支持するための軸受としては、主に自動調心ころ軸受が使用されてきた。自動調心ころ軸受は、大きなラジアル荷重の他にスラスト荷重も支持することができ、しかも、回転軸が傾斜する傾向となった場合にも、構成各部にエッジロード等の局部荷重が加わらないようにすることができるからである。しかし、反面、ころとして球面ころを使用するため、コストが嵩む等の問題があった。
【０００３】
そこで、軸受の交換時に、同じ機能を発揮することのできる調心輪付き複列円すいころ軸受で置換することが考えられている。この調心輪付き複列円すいころ軸受は、比較的製作コストの安い円すいころを使用しているからである。
【０００４】
図３に、特開平１０−２５０４６７号公報等に記載された従来の調心輪付き複列円すいころ軸受の構成を示す。
前記調心輪付き複列円すいころ軸受は、複列円すいころ軸受１０の外輪１１の外側に調心輪２０を配置し、該外輪１１の外周面１１ｂを球状凸面とすると共に、該外輪１１の外側に配置した前記調心輪２０の内周面２０ａを前記球状凸面に対応した球状凹面とし、これら外輪１１の外周面１１ｂと調心輪２０の内周面２０ａとが、調心輪２０と外輪１１との相対揺動変位を自在として互いに嵌合されている。
【０００５】
前記複列円すいころ軸受１０は、１個の外輪１１と、一対の内輪１２，１２と、複数個の円すいころ１３，１３とを備えている。
前記外輪１１の内周面には、複列の外輪軌道１１ａ，１１ａが形成されている。各外輪軌道１１ａ，１１ａは、それぞれが円すい凹面状で有り、互いに逆方向に、且つ、それぞれが開口部に向かうほど内径が大きくなる方向に傾斜したテーパ面で構成されている。
従って、外輪１１の内径は、中央部で最も小さく、両端開口部に向かうほど漸次大きくなる。
【０００６】
一対の前記内輪１２，１２の外周面には、円すい凸面状の内輪軌道１２ａ，１２ａがそれぞれ形成されている。各内輪１２，１２の一端部（図の左右端部）外周面における内輪軌道１２ａの大径側端部には、外向フランジ状の大径側鍔部１２ｄが形成されている。又、各内輪１２，１２の他端部（図の中央端部）外周面における内輪軌道１２ａの小径側端部には、外向フランジ状の小径側鍔部１２ｃが形成されている。
【０００７】
一対の前記内輪１２，１２は、前記小径側鍔部１２ｃ，１２ｃ同士を対向させた背面組合せ状態とされ、端面間には間座１５が介装される。
前記円すいころ１３は、各外輪軌道１１ａ，１１ａと各内輪軌道１２ａ，１２ａとの間にそれぞれ複数個ずつ、保持器１４，１４のポケット内に転動自在に保持された状態で配置されている。
そして、この背面組合せ状態とされた複列円すいころ軸受１０において、前記外輪１１の軸方向幅Ｂ２は、前記内輪１２の組合せ幅Ｂ１よりも狭く設定されている。
【０００８】
【発明が解決しようとする課題】
ところで、図３に示した従来の調心輪付き複列円すいころ軸受では、調心輪２０の軸方向幅Ｂ３が内輪１２の組合せ幅Ｂ１よりも狭い外輪１１の軸方向幅Ｂ２と等しく設定されている。
そこで、内輪と外輪の軸方向幅が等しく設定されている自動調心ころ軸受の代わりに、上述した調心輪付き複列円すいころ軸受を使う為には、ハウジング側の軸受嵌合部分の幅寸法Ｈ１に合わせて、図示のように、外輪１１の両端側に軸方向幅Ｓの間座３０を嵌め込まなくてはならない。
【０００９】
前記間座３０は、外輪１１の両端側に配置した状態で、外輪１１と２つの間座３０の軸方向幅を合計した寸法が、内輪１２の組合せ幅Ｂ１と等しくなるように精度良く製作しなくてはならない。また、外周面に対する両端面の直角度も精度良く出さなくてはならない。
そのため、部品点数が増えて組み付け性が悪い上に、部品管理コストもかかる等の問題があった。
【００１０】
従って、本発明の目的は上記課題を解消することに係り、間座を使用せずに、自動調心ころ軸受の代わりに使用することのできる安価な調心輪付き複列円すいころ軸受を提供することである。
【００１１】
【課題を解決するための手段】
本発明の上記目的は、複列円すいころ軸受の外輪の外周面を球状凸面とすると共に、該外輪の外側に配置した調心輪の内周面を前記球状凸面に対応した球状凹面とし、これら外輪の外周面と調心輪の内周面とが、調心輪と外輪との相対揺動変位を自在として嵌合された調心輪付き複列円すいころ軸受であって、前記調心輪の軸方向幅が、前記複列円すいころ軸受の内輪の組合せ幅と等しく、且つ前記外輪の軸方向幅より広くされていることを特徴とする調心輪付き複列円すいころ軸受により達成される。
【００１２】
上記構成の調心輪付き複列円すいころ軸受によれば、調心輪の軸方向幅が内輪の組合せ幅と等しくされているので、外輪と内輪の軸方向幅が等しい構成の自動調心ころ軸受の代わりに使用される際にも、それまで自動調心ころ軸受が据え付けられていた位置に、間座を使用することなく、そのままの状態で設置することができる。
【００１３】
【発明の実施の形態】
以下、添付図面に基づいて本発明の一実施形態に係る調心輪付き複列円すいころ軸受を詳細に説明する。
図１は本発明の一実施形態に係る調心輪付き複列円すいころ軸受の縦断面図であり、図２は図１に示した調心輪の部分拡大図である。
【００１４】
本実施形態の調心輪付き複列円すいころ軸受は、図１に示したように、複列円すいころ軸受１０の外輪１１の外側に調心輪５０を配置し、該外輪１１の外周面１１ｂを球状凸面とすると共に、該外輪１１の外側に配置した前記調心輪５０の内周面５０ａを前記球状凸面に対応した球状凹面とし、これら外輪１１の外周面１１ｂと調心輪５０の内周面５０ａとが、調心輪５０と外輪１１との相対揺動変位を自在として嵌合されている。尚、前記複列円すいころ軸受１０の構成については、図３に示した従来例と同じであるから詳細な説明を省略する。
【００１５】
本実施形態に係る前記調心輪５０は、一対の前記内輪１２，１２の組合せ幅Ｂ１と略等しい軸方向幅Ｂ３を備えており、前記外輪１１の軸方向幅Ｂ２と略同じ軸方向範囲が球状凹面として形成された前記内周面５０ａの外側には、球面加工時の逃げ用の環状スペース５０ｂが設けられている。但し、一対の前記内輪１２，１２の組合せ幅Ｂ１は、端面間に介装された間座１５の軸方向幅を含む寸法である。
【００１６】
即ち、本実施形態の調心輪付き複列円すいころ軸受によれば、前記調心輪５０の軸方向幅Ｂ３が、組み合わされた前記内輪１２，１２の組合せ幅Ｂ１と等しくされているので、外輪と内輪の軸方向幅が等しい構成の自動調心ころ軸受の代わりに使用される際にも、それまで自動調心ころ軸受が据え付けられていたハウジング側の軸受嵌合部分に、そのままの状態で設置することができ、図３に示した従来の調心輪付き複列円すいころ軸受のような間座３０を外輪１１の両端側に嵌め込む必要がない。
【００１７】
そこで、本実施形態の調心輪付き複列円すいころ軸受は、部品点数が増えて組み付け性が悪い上に部品管理コストもかかる間座を使用せずに、製造が面倒な球面ころを備えた自動調心ころ軸受の代わりとして使用することができ、大幅なコスト削減が可能となる。
【００１８】
また、前記調心輪５０の軸方向幅Ｂ３は、前記外輪１１の軸方向幅Ｂ２より広くされているので、該外輪１１の軸方向幅Ｂ２より広い部分である前記調心輪５０の軸方向両端部には、殆ど軸受荷重が作用することはなく、ハウジング側の軸受嵌合部分に据え付けられた際のアキシアル方向の支持固定力を受けることができれば良い。
【００１９】
そこで、前記調心輪５０の外周面の軸方向両端部には、ハウジング等への組み付けを容易にする挿入案内となるなだらかな傾斜部５０ｃを設けることができる。
従って、本実施形態の調心輪付き複列円すいころ軸受によれば、ハウジング等への組付性を容易に向上させることができる。
【００２０】
尚、本発明の調心輪付き複列円すいころ軸受における複列円すいころ軸受及び調心輪等の構成は、上記実施形態の構成に限定されるものではなく、本発明の趣旨に基づいて種々の形態を採りうることは云うまでもない。
【００２１】
【発明の効果】
以上説明したように、本発明の調心輪付き複列円すいころ軸受によれば、調心輪の軸方向幅が内輪の組合せ幅と等しくされているので、外輪と内輪の軸方向幅が等しい構成の自動調心ころ軸受の代わりに使用される際にも、それまで自動調心ころ軸受が据え付けられていた位置に、間座を使用することなく、そのままの状態で設置することができる。
従って、間座を使用せずに、自動調心ころ軸受の代わりに使用することのできる安価な調心輪付き複列円すいころ軸受を提供できる。
【図面の簡単な説明】
【図１】本発明の一実施形態に係る調心輪付き複列円すいころ軸受の縦断面図である。
【図２】図１に示した調心輪の部分拡大図である。
【図３】従来の調心輪付き複列円すいころ軸受の縦断面図である。
【符号の説明】
１０　複列円すいころ軸受
１１　外輪
１１ｂ　外周面
１２　内輪
１３　円すいころ
１４　保持器
５０　調心輪
【図１】
2004028139.tif 000003
【図２】
2004028139.tif 000004
【図３】
2004028139.tif 000005